(57)【要約】【課題】弾性を有する導線を用いることで各接点の接触圧を確保し安定して点灯できる構成で、使用者が必要な時に簡単に組み立てて用いることを可能にした灯具を提供することを目的とする。【解決手段】分断されたケースまたは一部連結されたケースを折り曲げて合わせることで灯具の形状になる本体ケースと、本体ケース内の凹部に差し込まれ固定された電球と、電球に連なり本体ケース内の凹部に挿入された電池と、直線に並んだ電球と電池を弾性を利用して両端から挟みこむことにより、連結、通電させるための導線からなり、使用する時に本体ケースを組み立てた上で使用することができるよう本体ケースの内側に凹部が造形してなる。【選択図】図２
2008235158.tif 000002
【特許請求の範囲】
【請求項１】
分断されたケースまたは一部連結されたケースを折り曲げる、あるいは合わせることで灯具の形状になる本体ケースと、
前記本体ケース内の凹部に差し込まれ固定される電球と、
前記電球に連なり前記本体ケース内の凹部に挿入される電池と、
直線状に並んだ前記電球と前記電池を弾性を利用して両端から挟みこむことにより、  連結および通電させるための導線からなり、
灯具を使用する時に前記本体ケース内に前記電球と前記電池と前記導線を組み込むことができるよう前記本体ケースの内側に凹部が造形されたことを特徴とする灯具。
【請求項２】
本体ケースは、全体もしくは一部が透明性のある樹脂であることを特徴とする請求項１記載の灯具。
【請求項３】
導線は、弾性を有しており電球と電池を挟み込み、両者が通電するための接触圧を保っており、電池端面と接触している部分を電池端面からずらしたり、遮蔽物を挿入することで両者間に流れる電流を遮断することにより、スイッチ機能を有していることを特徴とする請求項１記載の灯具。
【発明の詳細な説明】
【技術分野】
【０００１】
本発明は、使用者が簡単に組み立てて使用する灯具に関するものである。
【背景技術】
【０００２】
従来の組み立て式灯具の断面図を図１２に、展開図を図１３に示す。図１３では従来の組み立て式灯具を立体に組み立てる前の本体部材が平面状に展開されており、収納性やコンパクトさを主目的とした提案、すなわち導電性薄膜が貼られた厚紙や樹脂板を箱状に組み立て灯具とする構成が示されている（例えば、特許文献１参照）。
【特許文献１】特開昭６４−７２４０１号公報
【発明の開示】
【発明が解決しようとする課題】
【０００３】
従来の組み立て式灯具は厚紙や樹脂板に導電性薄膜を配線部材として貼ったものを折り曲げ、箱状の灯具を構成するものだが、通電のためには導電性薄膜の配線部材はある程度の厚みが必要になり、厚紙や樹脂板を曲げた時に、曲げに伴う伸び縮みができないために剥離するか、曲げることが不可能になる。また安全に安定して通電するには導電性薄膜と電池と電球の接点に、ある程度の接触圧をかけ続ける必要があるが、バネ性の無い厚紙や樹脂の薄板による構成では一定の接触圧が維持できず、確実に通電する回路やスイッチを構成することが難しい。本発明は従来の構成では実現できなかった灯具の使い方、つまり普段は展開されコンパクトに収納されているが、使用時は確実に点灯できる灯具を簡単で安価に組み立てることを可能にする構造を提供するものである。
【課題を解決するための手段】
【０００４】
従来の課題を解決するために本発明の灯具は、分断または一部連結されたケースを折り曲げて合わせることで灯具の形状になる本体ケースと、前記本体ケース内の凹部に差し込まれ固定される電球と、前記電球に連なり前記本体ケース内の凹部に挿入される電池と、直線状に並んだ前記電球と前記電池を弾性を利用して両端から挟みこみ、連結および通電させるための導線からなり、灯具を使用する時に前記本体ケース内に前記電球と前記電池と前記導線を組み込むことができるよう前記本体ケースの内側に凹部が造形されたものである。
【発明の効果】
【０００５】
本発明によると、電球と電池と導線は灯具として使用する時までは、本体ケースと別にしておく。そうすることにより、本体ケースは折り曲げない状態で重ねて多数をコンパクトに収納できる。災害などが発生した時には分断されたケースまたは一部連結されたケースに電球と電池と導線を本体ケース内の凹部に挿入した後、本体ケースを折り曲げたり合わせたりするなどして組み立てると、すぐ灯具として使用することができる。さらに、銅線の弾性を利用して電球と電池を両端から挟みこむため確実に点灯できる灯具を簡単で安価に組み立てることができる。そのため、自治体などの災害緊急時に備えた大量の備蓄や、運搬に適した灯具を得ることができる。
【発明を実施するための最良の形態】
【０００６】
本発明において、本体ケースを全体もしくは一部を透明性のある樹脂で構成することにより、レンズなどの個別の部品を用いることなく周囲全体を照らすことができる。
【０００７】
また、導線は電球と電池を挟み込み、両者が通電するための接触圧を保っており、電池端面と接触している部分を電池端面からずらしたり、遮蔽物を挿入することで両者間に流
れる電流を遮断する単純な構造で安価にスイッチ機能を実現することができるため、安価な本体ケースとともに全体としての製造コスト低減が期待でき、多量の備蓄用として、また小ロットの販促用としても有利である。
【０００８】
以下本発明を実施するための最良の形態について、図面を参照しながら説明する。
【０００９】
（実施の形態１）
図１は本発明の実施の形態１に示す本体ケースの内部の形状を示した展開図で、図２は同実施の形態１に示す本体ケースに部品を挿入した構成図である。図１において本体ケース１には電球２、電池３、導線４を挿入できるように電球凹部５、電池凹部６、導線凹部７が構成されている。電球凹部５に電球２を、電池凹部６に電池３を導線凹部７に導線４を挿入した状態が図２である。電球２と電池３は一直線状に並んでおり、電球２の一端は電池３のプラス側へ接続されており他端は導線４と電気的に接続されている。本体ケース１を図２の状態から中央の溝８で折り曲げ、展開された状態の両端に並ぶ楕円形凸部ａ９（本実施の形態では５個）と楕円形凹部ａ１０、および中央折り目の両側の楕円形凸部ｂ１１（本発明の形態では３個）と楕円形凹部ｂ１２をそれぞれはめ合わせると、図１０、図１１の形状に固定されて灯具が完成する。このとき本体ケース１の電球凹部５、電池凹部６、導線凹部７はそれぞれ電球２や電池３、導線４の形状をそのまま表しており、初めて組み立てる使用者にもどこに何を入れればいいのか、また組み立てる際の手順などが自ずと理解できるようデザインされている。また本体ケース１は透明性のある樹脂で構成されているため外側からでも仕組みが容易に理解できる。そのためトラブル時でも問題箇所がすぐに発見でき、道具を用いずに分解し、容易に修理することができる。そのために電池の働きを教える教材としても使える灯具である。
【００１０】
図３は同実施の形態１に示す電球と導線の接続の状態を示した図、図４は同実施の形態１に示す螺子タイプの電球と導線の接続の状態を示した図である。電球２と導線４は、電球の種類によって図３のように円弧状にして電球を軽く挟んだり、図４のように螺旋状にして電球の螺子部をねじ込んだりすることにより、電気的に接続すると同時に固定することができる。図４の螺旋形状に電球の螺子部をねじ込むタイプでは、ねじ込み具合で前記電球と電池と導線の接触圧を調整することができる。
【００１１】
図５は同実施の形態１に示す電球と電池と導線の接続の状態を本体ケースから抜き出して電球側から見た図、図６は同実施の形態１に示す電球と電池と導線の接続の状態を本体ケースから抜き出して電池マイナス側から見た図である。いずれも電球と２個の電池を導線がバネ性を発揮して両側から挟み込んでおり、接点に充分な接触圧を発生させることができるので、安定した点灯が得られる。
【００１２】
図７は同実施の形態１に示す後方より見たスイッチオンの状態の組立図、図８は同実施の形態１に示す後方より見たスイッチオフの状態の組立図である。図７は導線４の後端が電池３のマイナス側に接した状態で、前記本体ケース１の後端に設けられたスリット部分から突き出している。また図８は、図７の本体ケース１のスリットから突き出した導線４の後端を引っ張りながら右に動かし、本体ケース１に乗り上げた形にして電池３のマイナス側との接続を絶った状態である。すなわち図７は電球２が点灯しているスイッチオンの状態、図８は電球２が点灯していないスイッチオフの状態である。このように特別のスイッチユニットを用いずに安価にスイッチ機能を実現することができるため、本体ケースも含め全体としての製造コストの低減が期待でき、多量の備蓄用灯具として適している。
【００１３】
図９は同実施の形態１に示す本体ケース１を展開して積み重ねた状態の図で、折り曲げる前の展開した本体ケース１は、図９のように重ね合わせることで、多くの本体ケースをコンパクトに収納しておくことができる。
【００１４】
図１０は同実施の形態１に示す灯具の組立品を手で持った状態の図、図１１は同実施の形態１に示す灯具の組立品を立てて置いた状態の図である。本体ケース１は、保持しやすいように電球２と電池３と導線４の形状をそのまま外形に反映し、その結果凹凸に富んだデザインが得られ、図１０のように手に持って運びやすい形状になっている。また、図１１のように平らな部分を有しているためランタンや蝋燭のように立てて使うこともできる。図７に示すように導線４の後端（図１１では下側）が本体ケース１の後端（図１１では下側）に設けられたスリット部分から突き出しているが、スリット部分の両側の本体凸部１３、１４の高さを導線４の突き出し高さより高くし、且つ本体凸部１３と本体凸部１４はほぼ同じ高さに設定しているため、電球２を上側にして立てることができる。また本体ケース全体もしくは一部を透明性のある樹脂であることを特徴とするために、レンズなどの特別の部品を用いることなく周囲全体を照らすことができる。
【産業上の利用可能性】
【００１５】
本発明にかかる灯具は、前記本体ケースを展開した状態で多数を重ねてコンパクトに収納できるので、自治体などの災害緊急時に備えた大量の備蓄や、大量の運搬に適した灯具として有用である。
【図面の簡単な説明】
【００１６】
【図１】本発明の実施の形態１に示す本体ケースの内部の形状を示した展開図
【図２】同実施の形態１に示す本体ケースに部品を挿入した構成図
【図３】同実施の形態１に示す電球と導線の接続の状態を示した図
【図４】同実施の形態１に示す螺子タイプの電球と導線の接続の状態を示した図
【図５】同実施の形態１に示す電球と電池と導線の接続の状態を本体ケースから抜き出して電球側から見た図
【図６】同実施の形態１に示す電球と電池と導線の接続の状態を本体ケースから抜き出して電池マイナス側から見た図
【図７】同実施の形態１に示す後方より見たスイッチオンの状態の組立図
【図８】同実施の形態１に示す後方より見たスイッチオフの状態の組立図
【図９】同実施の形態１に示す本体ケースを展開して積み重ねた状態の図
【図１０】同実施の形態１に示す灯具の組立品を手で持った状態の図
【図１１】同実施の形態１に示す灯具の組立品を立てて置いた状態の図
【図１２】従来の組み立て式灯具の断面図
【図１３】従来の組み立て式灯具の展開図
【符号の説明】
【００１７】
１    本体ケース
２    電球
３    電池
４    導線
５    電球凹部
６    電池凹部
７    導線凹部
８    溝
９    楕円形凸部ａ
１０  楕円形凹部ａ
１１  楕円形凸部ｂ
１２  楕円形凹部ｂ
【図１】
2008235158.tif 000003
【図２】
2008235158.tif 000004
【図３】
2008235158.tif 000005
【図４】
2008235158.tif 000006
【図５】
2008235158.tif 000007
【図６】
2008235158.tif 000008
【図７】
2008235158.tif 000009
【図８】
2008235158.tif 000010
【図９】
2008235158.tif 000011
【図１０】
2008235158.tif 000012
【図１１】
2008235158.tif 000013
【図１２】
2008235158.tif 000014
【図１３】
2008235158.tif 000015